(57)【特許請求の範囲】
【請求項１】
側壁を有する機器本体と、
上記機器本体内に形成されているとともに、上記側壁に形成された細長い矩形状の挿入口を有し、上記挿入口を通して挿入されたカード状電子部品を収納するカードスロットと、
上記機器本体内に回動自在に設けられ上記挿入口を開閉する蓋体と、
を備え、
上記側壁は、上記挿入口の下側長辺部を規定しているとともに上記カード状電子部品の挿入をガイドする第１ガイド面と、上記下側長辺部と対向した上記挿入口の上側長辺部を規定しているとともに上記カード状電子部品の挿入をガイドする第２ガイド面と、を有し、上記第１ガイド面の上記カード状電子部品の挿入方向に沿った幅は、上記第２ガイド面の上記カード状電子部品の挿入方向に沿った幅よりも大きく形成され、
上記蓋体は、上記挿入口の上側長辺部から上記カード状電子部品の挿入方向に離間して上記側壁に支持された枢支部を有し、上記枢支部の周りで、上記挿入口に露出して上記挿入口を閉塞する閉塞位置と挿入口を開放する開放位置との間を回動自在に設けられ、
上記閉塞位置において、上記蓋体は、上記枢支部を通り上記カード状電子部品の挿入方向と直交する平面に対し、上記挿入口側へ所定角度傾斜して位置し、上記蓋体は、上記閉塞位置において上記第１ガイド面上に位置する先端部を有することを特徴とする小型電子機器。
【請求項２】
上記蓋体を上記閉塞位置に向けて付勢した付勢部材が設けられ、
上記蓋体は、上記枢支部の近傍に設けられているとともに上記壁部の内面に当接して上記蓋体を上記閉塞位置に保持するストッパを有していることを特徴とする請求項１に記載の小型電子機器。
【請求項３】
上記第１ガイド面は、上記第２ガイド面の１．５ないし２倍の幅を有していることを特徴とする請求項１又は２に記載の小型電子機器。
【請求項４】
上記閉塞位置において、上記蓋体は５ないし１０度傾斜していることを特徴とする請求項１ないし３のいずれか１項に記載の小型電子機器。
【発明の詳細な説明】
【０００１】
【発明の属する技術分野】
この発明は、携帯型パーソナルコンピュータ等の小型電子機器に関し、特に、カード状電子機器を装填可能なカードスロットを備えた小型電子機器に関する。
【０００２】
【従来の技術】
近年、ブック型パーソナルコンピュータ、あるいは、いわゆるモバイルコンピュータと言われる携帯可能な小型のコンピュータが広く普及している。この種のコンピュータは、携帯性を高めるために機器本体の小型化が促められ、同時に、一層の性能の向上および多機能化が求められている。
【０００３】
このような携帯型コンピュータは、一般に、ほぼ矩形状の偏平な機器本体と、機器本体に回動自在に設けられたディスプレイユニットと、を備えている。機器本体内には、多数の電子部品が実装されたプリント回路基板、情報記憶装置としてのハードディスクドライブ等が収納されている。また、コンピュータの多機能化を図るため、機器本体には、モデムカード、メモリカード等のカード状電子機器を装填可能なカードスロットが設けられている。そして、通常、カードスロットの挿入口には、開閉自在な蓋体が設けられ、異物の侵入等を防止している。
【０００４】
【発明が解決しようとする課題】
しかしながら、上記のようなカードスロットを備えた携帯型コンピュータにおいては、カードスロットの挿入口と蓋体との間に隙間が生じ易く、隙間から内部が見えて美観を損ねるとともに、ゴミが侵入しやすいという問題がある。
【０００５】
また、コンピュータの小型化に伴い、機器本体の壁部も薄くなる傾向にある。そのため、カードスロットの挿入口を規定している壁部も薄くなり、カードを挿入する際のガイドとして機能することが困難となる。この場合、カードスロットに対するカードの挿入方向を正確に規制すること難しく、円滑な挿入操作を行う上で問題となる。
【０００６】
この発明は以上の点に鑑みなされたもので、その目的は、カードスロットの挿入口を確実に閉じることができるとともに、カードスロットに対してカード状電子部品を円滑に装填可能な小型電子機器を提供することにある。
【０００７】
【課題を解決するための手段】
上記目的を達成するため、この発明に係る小型電子機器は、側壁を有する機器本体と、上記機器本体内に形成されているとともに、上記側壁に形成された細長い矩形状の挿入口を有し、上記挿入口を通して挿入されたカード状電子部品を収納するカードスロットと、上記機器本体内に回動自在に設けられ上記挿入口を開閉する蓋体と、を備えている。
【０００８】
上記側壁は、上記挿入口の下側長辺部を規定しているとともに上記カード状電子部品の挿入をガイドする第１ガイド面と、上記下側長辺部と対向した上記挿入口の上側長辺部を規定しているとともに上記カード状電子部品の挿入をガイドする第２ガイド面と、を有し、上記第１ガイド面の上記カード状電子部品の挿入方向に沿った幅は、上記第２ガイド面の上記カード状電子部品の挿入方向に沿った幅よりも大きく形成され、
上記蓋体は、上記挿入口の上側長辺部から上記カード状電子部品の挿入方向に離間して上記側壁に支持された枢支部を有し、上記枢支部の周りで、上記挿入口に露出して上記挿入口を閉塞する閉塞位置と挿入口を開放する開放位置との間を回動自在に設けられ、
上記閉塞位置において、上記蓋体は、上記枢支部を通り上記カード状電子部品の挿入方向と直交する平面に対し、上記挿入口側へ所定角度傾斜して位置し、上記蓋体は、上記閉塞位置において上記第１ガイド面上に位置する先端部を有することを特徴としている。
【０００９】
また、この発明に係る小型電子機器によれば、上記蓋体は、付勢部材により上記閉塞位置に向けて付勢されているとももに、上記枢支部の近傍に設けられたストッパが上記壁部の内面に当接することにより、上記閉塞位置に保持されている。
【００１０】
上記電子機器において、上記第１ガイド面は、上記第２ガイド面の約１．５ないし２倍の幅を有し、また、上記閉塞位置における蓋体の傾斜角は、約５ないし１０度に設定されている。更に、上記蓋体は、上記閉塞位置において上記第１ガイド面上に位置する先端部を有している。
【００１１】
上記のように構成された小型電子機器によれば、蓋体の枢支部を壁部の内面からカード状電子部品の挿入方向へオフセットして設けることにより、壁部の第１ガイド面の幅を大きくすることが可能となる。そして、この第１ガイド面を利用して、カードスロットに対するカード状電子部品の挿入をガイドすることにより、カード状電子部品の円滑な挿入操作が可能となる。
【００１２】
また、閉塞位置において、蓋体を傾斜して設けることにより、第１ガイド面の幅を大きくした場合でも、隙間を生じることなく挿入口を閉塞することができ、美観の向上およびゴミの侵入防止を図ることができる。
【００１３】
【発明の実施の形態】
以下、図面を参照しながら、この発明の実施の形態に係る携帯型のパーソナルコンピュータについて詳細に説明する。
【００１４】
図１および図２に示すように、パーソナルコンピュータは、偏平な矩形箱状の機器本体１０と、同じく偏平な矩形状のディスプレイユニット１２と、を備えている。機器本体１０は、上面の開口した矩形箱状の下ケース１４、下ケースの上面開口を覆うように下ケースに取り付けられ上面壁を構成したカバー１６と、で構成されている。
【００１５】
また、機器本体１０は、カバー１６の上面に露出して設けられたキーボード２０を有しているとともに、機器本体の一方の側面には、ＰＣカードを挿入可能なカードスロット２２、ＤＣ電源コネクタ２３が設けられている。機器本体１０の他方の側面には、電話線の接続ジャック２４、リモートコントローラの接続端子２５、スマートメディアの挿入口２６等が設けられている。
【００１６】
機器本体１０の前端部には、バッテリ２８が脱着自在い装着されている。更に、カバー１６の上面後端部には、後述するカメラのシャッタボタン３０が設けられている。機器本体１０の後壁外面には、赤外線ポート３１、ＵＳＢ端子３２、マイク入力端子３３、ヘッドホン接続端子３４、複数の排気孔３６、外部ディスプレイ出力端子３７等が設けられている。
【００１７】
ディスプレイユニット１２は、その下端部両端から突出した一対の脚部３８を有し、これらの脚部は、カバー１６の後端部に設けられた一対のヒンジ部４０によって回動自在に支持されている。ヒンジ部４０は、カバー１６の上面とほぼ平行に延びる図示しないヒンジ軸を有し、ディスプレイユニット１２の回動中心軸を規定している。それにより、ディスプレイユニット１２は、キーボード２０を露出する図１の回動位置と、キーボード２０を覆い、機器本体１０とともに１つの箱状をなす図２の閉塞位置との間を開閉自在に機器本体１０上に取り付けられている。なお、各ヒンジ部４０の外表面は、別体の化粧板によって覆われている。
【００１８】
ディスプレイユニット１２の内面には、液晶表示パネル４２が露出した開口４４、電源スイッチ４５、リブポイント４６、ＬＥＤからなる表示部４８等が設けられている。また、ディスプレイユニット１２の外面には、リブポイント４６に対向して一対のクリックスイッチ５０が設けられている。
【００１９】
一方、図１および図２に示すように、パーソナルコンピュータは、機器本体１０の後端部に脱着自在に設けられたカメラ５２を備えている。このカメラ５２は一対のヒンジ部４０間に、すなわち、機器本体１０の後端部の中央に設けられている。
【００２０】
カメラ５２は、カメラ本体５４、およびカメラ本体を支持したベース部５６を備えている。カメラ本体５４は、内部に図示しない固体撮像素子（ＣＣＤ）を収納しているとともにピント調整可能なレンズ５７を有し、ほぼ円柱形状に形成されている。そして、レンズ５７は、その入射面がカメラ本体５４の外周面に露出して設けられている。
【００２１】
ベース部５６は、カメラ本体５４の軸方向両端側に位置した一対の支持部５８を有し、カメラ本体は、これらの支持部により、その中心軸の周りでほぼ３６０度回動自在に支持されている。一対の支持部５８は、カメラ本体５４と同径の円柱状に形成され、カメラ本体と連続して設けられている。また、一方の支持部５８の端面には、カメラ側のシャッタボタン６０が設けられている。
【００２２】
ベース部５６には、カメラ本体５４に電気的に接続された図示しないコネクタ、およびカメラ本体５４の中心軸と平行な方向に往復動自在な図示しないフックが設けられている。また、ベース部５６の外壁５６ｂには、フックを解除操作するための操作レバー６５が設けられ、更に、側壁には、カメラ５２の脱着をガイドするガイド溝６６が形成されている。
【００２３】
そして、上記構成のカメラ５２は、機器本体１０の後端部中央に形成された凹所からなるカメラ装着部６８に脱着自在に装着されている。カメラ装着部６８へ装着すると、カメラ５２はフックが機器本体１０と係合することによりカメラ装着部内に機械的に保持され、また、コネクタが機器本体側の図示しないコネクタに接続され、機器本体１０と電気的に接続される。
【００２４】
図１および図２に示すように、カメラ５２をカメラ装着部６８に装着した状態において、円柱形状に形成されたカメラ本体５４および一対の支持部５８は、機器本体１０の一対のヒンジ部４０に連続的に並んで位置している。また、ベース部５６の後壁５６ｂは、機器本体１０の後面と連続して位置し、機器本体の後面の一部を構成している。更に、カメラ本体５４は、その中心軸がヒンジ部４０のヒンジ軸、すなわち、ディスプレイユニット１２の回動中心軸線とほぼ同軸的に位置し、この中心軸の周りで回動可能となっている。
【００２５】
そして、カメラ本体５４を回動させてレンズ５７の向きを調整することにより、ディスプレイユニット１２を開いた状態、あるいは、閉じた状態のいずれにおいても、カメラ５２を用いて任意の画像を撮影することができる。カメラ５２により撮影した画像は、ディスプレイユニット１２に動画あるいは静止画として表示できるとともに、本体側のシャッタボタン３０を押すことにより、スナップ画像として機器本体１０内のメモリに取り込むことができる。
【００２６】
なお、カメラ５２を機器本体１０から取外す場合には、操作レバー６５を操作してフックを解除した状態で、カメラ５２全体をカメラ装着部６８から後方へ引き抜くことにより取外すことができる。
【００２７】
図３および図６に示すように、機器本体１０の下ケース１４内にはほぼ矩形状のメインプリント回路基板７０が設けられ、下ケース底壁のほぼ全面と対向している。メインプリント回路基板７０の上面には、ハードディスクドライブ７２、カードスロット２２に挿入されたＰＣカードを保持するカードホルダ７４、挿入されたＰＣカードに接続されるコネクタ７５、サブプリント回路基板７６、カメラ５２のコネクタが接続されたコネクタ７７、前述したＤＣ電源コネクタ２３、接続ジャック２４、リモートコントローラの接続端子２５、赤外線ポート３１、ＵＳＢ端子３２、マイク入力端子３３、ヘッドホン接続端子３４、外部ディスプレイ出力端子３７、その他の電子部品が設けられている。メインプリント回路基板７０の下面側には、メインプロセッサを構成する半導体パッケージ７８、その他、多数の電子部品が実装されている。
【００２８】
次に、カード収納部として機能するカードスロット２２について詳細に説明する。図３ないし図６に示すように、カードスロット２２は、機器本体１０の側壁１０ａに形成された挿入口８０を有している。この挿入口８０は、カード状電子部品としてのＰＣカード８２の断面形状に対応して、細長い矩形状に形成されている。
【００２９】
カードスロット２２内には、金属板を折り曲げて形成されたカードホルダ７４およびコネクタ７５が連続して配置されている。そして、挿入口８０を介してカードスロット２２内に挿入されたＰＣカード８２は、カードホルダ７４によって幅方向の移動が規制され、同時に、ＰＣカード先端に設けられた図示しない接続端子がコネクタ７５と嵌合することにより、カードスロット内の所定位置に保持される。
【００３０】
また、カードスロット２２内には、カード挿入方向Ｂに沿って延びたイジェクトレバー８４が設けられ、カードホルダ７４と並んで位置している。イジェクトレバー８４の後端部は、コネクタ７５に係合しているとともに、先端部にはイジェクトボタン８５が取り付けられ挿入口８０に並んで位置している。
【００３１】
機器本体１０の側壁１０ａは、挿入口８０の下側長辺部を規定しているとともにＰＣカード８２の挿入をガイドする第１ガイド面８６ａと、挿入口８０の上側長辺部を規定しているとともにＰＣカードの挿入をガイドする第２ガイド面８６ｂと、を有している。第１ガイド面８６ａのカード挿入方向Ｂに沿った幅は、第２ガイド面８６ｂのカード挿入方向に沿った幅よりも大きく形成され、例えば、約１．５ないし２倍に形成されている。
【００３２】
一方、図４ないし図６に示すように、機器本体１０内には、挿入口８０を開閉する蓋体８８が設けられている。この蓋体８８は、挿入口８０に対応して、細長い矩形板状に形成されている。蓋体８８の上縁部両端にはそれぞれ枢軸９０が突設され、蓋体の長手方向に沿って延出している。また、一方の枢軸９０の近傍において、蓋体８８の端部にはストッパ９２が突設されている。
【００３３】
側壁１０ａの内面には一対の支持板９４が一体に形成され、それぞれ挿入口８０の長手方向両端近傍に位置している。これらの支持板９４は、第２ガイド面８６ｂの近傍から機器本体１０内方に向って突設されている。また、支持板９４には透孔９５がそれぞれ形成され、これらの透孔は、側壁１０ａの内面に対して、カード挿入方向Ｂへ所定距離ｄだけ離間して位置している。そして、蓋体８８の枢軸９０はそれぞれ透孔９５に回動自在に挿通されている。
【００３４】
これにより、蓋体８８は、枢軸９０および透孔９５からなる枢支部により回動自在に支持され、挿入口８０を閉塞する図６の閉塞位置と、挿入口を開放する開放位置との間を回動可能となっている。また、一方の枢軸９０には、付勢部材として機能するねじりばね９６が巻回され、ねじりばねの一方の端部は蓋体８８に、他方の端部は側壁１０ａ内面にそれぞれ係合している。従って、蓋体８８は、通常、ねじりばね９６により閉塞位置方向へ付勢され、ストッパ９２が側壁１０ａ内面に当接することにより閉塞位置に保持されている。
【００３５】
図６からよく分かるように、閉塞位置において、蓋体８８は、枢軸９０を通りカード挿入方向Ｂと直交する平面Ｃに対して、挿入口８０側へ所定角度θだけ傾斜して位置している。この所定角度θは、例えば、５〜１０度に設定され、ストッパ９２の形状あるいは位置を変更することにより調整することができる。また、閉塞位置において、蓋体８８の先端部８８ａは、挿入口８０内に突出し側壁１０ａの第１ガイド面８６ａ上に位置している。
【００３６】
上記のように構成されたパーソナルコンピュータによれば、ＰＣカード８２を挿入方向Ｂに沿って挿入口８０からカードスロット２２内へ挿入すると、蓋体８８は、ＰＣカードの先端に押され開放位置に向って回動する。その際、ＰＣカード８２は、側壁１０ａの第１ガイド面８６ａにより挿入方向が規制され、カードスロット２２内のカードホルダ７４に向ってガイドされる。そして、ＰＣカード８２を更に挿入することにより、ＰＣカードはカードホルダ７４内に入り、このカードホルダによってガイドされ、ＰＣカード先端に設けられた接続端子がコネクタ７５と嵌合する。これにより、ＰＣカード８２は、カードスロット２２内の所定位置に装填され、機器本体１０と電気的に接続される。
【００３７】
また、ＰＣカード８２をカードスロット２２からイジェクトする場合には、イジェクトボタン８５を押込むことにより、ＰＣカードとコネクタ７５との接続が解除されるとともに、ＰＣカードが挿入口８０から押し出される。この状態で、ＰＣカード８２を挿入口８０から引き抜くことによりイジェクトされ、これに連動して、蓋体８８はねじりばね９６によって閉塞位置へ回動される。
【００３８】
以上のように、上記構成のパーソナルコンピュータによれば、蓋体８８の枢支部を機器本体１０の側壁１０ａ内面からカード挿入方向Ｂへオフセットして設けることにより、側壁の第１ガイド面８６ａの幅を大きくすることができ、この第１ガイド面を利用して、カードスロット２２に対するＰＣカード８２の挿入をガイドすることにより、円滑な挿入操作が可能となる。
【００３９】
また、閉塞位置において、蓋体８８を傾斜して設けることにより、第１ガイド面８６ａの幅を大きくした場合でも、隙間を生じることなく挿入口８０を閉塞することができ、美観の向上およびゴミの侵入防止を図ることができる。
【００４０】
なお、この発明は上述した実施の形態に限定されることなく、この発明の範囲内で種々変形可能である。例えば、上記実施の形態において、カードスロットは、機器本体の側壁に挿入口を持った構成としたが、これに限らず、機器本体の前壁あるいは後壁等に挿入口を備えた構成としてもよい。また、カード状電子部品は、ＰＣカードに限らず、他の種類のカード状電子機器を適用することもできる。
【００４１】
【発明の効果】
以上詳述したように、この発明によれば、カードスロットの挿入口を隙間なく閉じることができるとともに、カードスロットに対してカード状電子部品を円滑に装填可能な小型電子機器を提供することができる。
【図面の簡単な説明】
【図１】この発明の実施の形態に係るパーソナルコンピュータの斜視図。
【図２】ディスプレイユニットを閉じた状態における上記パーソナルコンピュータを背面側から示す斜視図。
【図３】上記パーソナルコンピュータのカバーを取外した状態を示す分解斜視図。
【図４】上記パーソナルコンピュータのカード挿入口部分およびＰＣカードを示す斜視図。
【図５】上記パーソナルコンピュータに設けられたカードスロットの上記カード挿入口部分およびに蓋体を示す分解斜視図。
【図６】図４の線Ａ−Ａに沿った断面図。
【符号の説明】
１０…機器本体
１２…ディスクプレイユニット
１４…下ケース
１６…カバー
２２…カードスロット
５２…カメラ
７０…メインプリント回路基板
８０…挿入口
８２…ＰＣカード
８６ａ…第１ガイド面
８６ｂ…第２ガイド面
８８…蓋体
８８ａ…自由端部
９０…枢軸
９５…透孔
９６…ねじりばね
【図１】
0004322356.tif 000002
【図２】
0004322356.tif 000003
【図３】
0004322356.tif 000004
【図４】
0004322356.tif 000005
【図５】
0004322356.tif 000006
【図６】
0004322356.tif 000007